(57)【特許請求の範囲】
【請求項１】
物品を保管または搬送するための箱体内に複数の物品を収納する区画を形成すべく配設される中仕切りであって、
（１）一枚の縦列仕切り板と複数枚の横列仕切り板からなり、縦列仕切り板はシート中央に間隔を置いて設けた平行な２本の折線によって折り線間の底部連結片およびその両側の縦列仕切り片に区分され、
（２）底部連結片にはその長手方向と直交する方向に底部差込みスリットが複数形成されるとともに、そのスリットの両端に連続して縦列仕切り片には縦列差込みスリットが延設され、連続した両スリットには横列差込み板を差込むことができ、
（３）中央に位置する縦列差込みスリットの両側には、折線を起点として所定の間隔をあけて二本の切込みと、それらの切込み先端部より縦列差込みスリットを横断する切込みからなる底部片切込みが形成され、縦列差込みスリット、底部片切込み、折線に囲まれた底板片が複数形成され、
（４）横列仕切り板には底部連結片の幅に対応する間隔で横列差込みスリットが設けられ、
（５）縦列仕切り片が折線を介して同じ方向に直角に折曲がって底部連結片の両側に立ち上がり、横列仕切り板が底部差込みスリットから挿入されて、横列差込みスリットと縦列差込みスリットを介して縦列仕切り片に交差して挿入、係止され、底板片が折線に沿って底部連結片と平面を形成するように外方に折り曲がっていることを特徴とする包装箱体用中仕切り。
【請求項２】
縦列仕切片の上端部には、縦列差込みスリットに対応する箇所、縦列差込スリット間の中央付近、および縦列仕切り片の側端部と縦列差込スリット間の中央付近には切欠き部が設けられている請求項１に記載の包装箱体用中仕切り。
【請求項３】
縦列差込スリットに対応する切欠き部がＶ字形状のような急な傾斜により形成されている請求項２に記載の包装箱体用中仕切り。
【請求項４】
縦列差込スリット間の中央付近、および縦列仕切り片の側端部と縦列差込スリット間の中央付近の切欠き部がＵ字形状のようななだらかな傾斜により形成されている請求項２または３に記載の包装箱体用中仕切り。
【請求項５】
横列仕切板の上端部には、横列差込みスリットに対応する箇所、横列差込みスリット間の中央付近、および横列仕切り板の側端部と横列差込みスリットの間の中央付近に切欠き部が設けられている請求項１から４のいずれかに記載の包装箱体用中仕切り。
【請求項６】
横列差込みスリットに対応する箇所の切欠き部がＶ字形状のような急な傾斜により形成されている請求項５に記載の包装箱体用中仕切り。
【請求項７】
横列差込みスリット間の中央付近、および横列仕切り板の側端部と横列差込みスリット間の中央付近の切欠き部がＵ字形状のようななだらかな傾斜により形成されている請求項５または６に記載の包装箱体用中仕切り。
【請求項８】
横列仕切り板の下端部に脚部突起が設けられている請求項１から７に記載の包装箱体用中仕切り。
【請求項９】
横列差込みスリット間の中央付近、および横列仕切り板の側端部と横列差込みスリット間の中央付近の切欠き部の凹部と脚部突起の凸部は、同一の形状であり、かつ、横列仕切板の上端部と下端部で対応する位置に形成されている請求項８に記載の包装箱体用中仕切り。
【請求項１０】
底板片の幅および長さは、底板片切込みの位置またはその幅によって調製されている請求項１から９のいずれかに記載の包装箱体用中仕切り。
【請求項１１】
請求項１から１０のいずれかに記載の中仕切りを装備したことを特徴とする包装箱体。
【発明の詳細な説明】
【技術分野】
【０００１】
本発明は、物品を保管または搬送するための箱体において、ビンなどの物品を収納するための区画を箱体内に複数配設するための中仕切りおよびこの中仕切りを備えた箱体に関するものである。
【背景技術】
【０００２】
従来、物品を区分けして箱体内に収納するために、箱体の内部空間を区分けして各区分け内に物品を収納して保管または搬送するための中仕切りおよび個の中仕切りを配設した箱体が知られている。こうした中仕切りとその中仕切りを備える箱の１例を図１に示す。箱体１０内の収納空間に中仕切り２０を挿入することにより中仕切り付き箱が形成され、中仕切り２０は、縦仕切り板２１と横仕切り板４０をそれぞれ切込みに従って井桁状に挿し込み組み立てたものでありこれを箱内に挿入することによって区画が形成される。通常、矩形状の箱の内部に中仕切りが配設されることによって、箱の収納空間が複数個の矩形状の区画に区分される。例えば、下端部に複数のスリットが所定の間隔をもって短辺と略平行となるように形成された縦仕切り板と、縦仕切り板のスリットに対応する位置にスリットを上端部に設けた横仕切り板を、互いの切込みを嵌合されて中仕切りが形成される。
【０００３】
こうした構造を有する中仕切りについていくつかの従来例を挙げると、例えば、１枚の縦列仕切り板と複数枚の横列仕切片とから構成され、縦列仕切り壁の各区画の上縁には傾斜片を備える谷形の切欠部を設けて物品を収納する際に仕切りが型崩れすることがない包装用仕切り（特許文献１）や、第１仕切り板に第２仕切り板を組み付けるにあたり、第２仕切り板の上切込みを一側方に向かって屈曲または湾曲させていることにより、上切込みに挿着された第１仕切り板の切込みは湾曲して弾発的に上切込みに圧接係合して交差する第１仕切り板と第２仕切り板との係合を確実に維持する仕切り体が提案されている（特許文献２）。
【０００４】
通常、箱は直方体形状をしており、底面が短辺である一対の内フラップと長辺である一対の外フラップとが折り込まれて形成されているが、内フラップの幅と外フラップの幅を同じ長さにしていることから、内側となる内フラップ間には間隙が生じるため底面の内面は平面ではなく凹部（内フラップ間の隙間）を有している。そこで、箱の底面の内側を平面状にするために、通常は必要に応じて底板を敷いている。
これに対して、底板を使用しないで内フラップ間に生じる隙間を埋める構造の中仕切りが各種提案されている。例えば、二枚の横仕切り板間を連結する連結板を上記の隙間と同じ形状となして挿入することにより隙間を埋めて箱の底面を平面となす中仕切り（特許文献３）や、箱の底面の端から端までを覆う底板を有するコ字状の中仕切り部材を使用する包装箱（特許文献４）や、底面の凹部前後を覆う底板を有するコ字状の中仕切り付き箱が提案されている（特許文献５）。
【先行技術文献】
【特許文献】
【０００５】
【特許文献１】実公平８−９０２４号公報
【特許文献２】特開２００８−３０７６０号公報
【特許文献３】特開２００２−２４９１３９号公報
【特許文献４】特開２００６−２２５０１１号公報
【特許文献５】特開２００２−２４９１４０号公報
【発明の概要】
【発明が解決しようとする課題】
【０００６】
段ボールなどの紙製の箱体は、通常は直方体形状をしており、底面は短辺である一対の内フラップと長辺である一対の外フラップとが折り込まれて形成されている。箱体の設計上の観点、材料の使用を節約、あるいは、箱体の組み立てを容易とするために、外フラップの幅は両側端部が接触する長さとして箱の底面は外フラップにより完全に覆われるが、内フラップの幅は短いため箱体の底面が一部露出している。すなわち、図２（１）に示すように、外側となる外フラップ１５同志は中央で当接しているのに対して、その内側となる内フラップ１４間には間隙が形成されているため箱底の内面は平坦ではない。そこで、従来、箱の内部底面の凹部Ｘが箱体や収納物品に影響を与えないように平面状とするために底板１３を敷いている。
【０００７】
しかしながら、箱の底面を平面状にするために底面に底板を敷くことは材料を多く使用することとなりコスト高という問題がある。また、従来提案されている底板を用いない中仕切りでは、内フラップ間の隙間の寸法に一致する部材を設けてはめ込む構造であり、隙間に正確に一致する部材を中仕切りに設ける必要がありその作成あるいは組立に正確さが必要となる。さらに、中仕切りの底面により箱の底面全体が覆われる構造とするには、その作成あるいは組立に正確さが必要とされると同時に底板を作成すると同程度の材料を必要とし、場合によっては、底面が二重となっている個所が生じる場合もあった。そうすると、中仕切りを作成するための材料使用量は、底板を使用する場合に比べて同等かそれを上まることとなり材料の節約には程遠い。また、縦、横の仕切り片の構造が複雑となり、箱への組立に要する労力が増加するとともに自動化への対応が困難となってきている。
本発明は、これらの問題点の解決を目的として鋭意研究開発を進めることにより到達したものであり、簡便な構造の部材であっても箱体内部底面の凹部を補完することができるとともに、中仕切りの作成あるいは組立を簡便となして自動化に容易に対応することができるとともに、中仕切り作成のための材料を節約することができるものである。
【課題を解決するための手段】
【０００８】
本発明は、以下の技術的事項から構成される。
（１）物品を保管または搬送するための箱体内に複数の物品を収納する区画を形成すべく配設される中仕切りであって、
（ａ）一枚の縦列仕切り板と複数枚の横列仕切り板からなり、縦列仕切り板はシート中央に間隔を置いて設けた平行な２本の折線によって折り線間の底部連結片およびその両側の縦列仕切り片に区分され、
（ｂ）底部連結片にはその長手方向と直交する方向に底部差込みスリットが複数形成されるとともに、そのスリットの両端に連続して縦列仕切り片には縦列差込みスリットが延設され、連続した両スリットには横列差込み板を差込むことができ、
（ｃ）中央に位置する縦列差込みスリットの両側には、折線を起点として所定の間隔をあけて二本の切込みと、それらの切込み先端部より縦列差込みスリットを横断する切込みからなる底部片切込みが形成され、縦列差込みスリット、底部片切込み、折線に囲まれた底板片が複数形成され、
（ｄ）横列仕切り板には底部連結片の幅に対応する間隔で横列差込みスリットが設けられ、
（ｅ）縦列仕切り片が折線を介して同じ方向に直角に折曲がって底部連結片の両側に立ち上がり、横列仕切り板が底部差込みスリットから挿入されて、横列差込みスリットと縦列差込みスリットを介して縦列仕切り片に交差して挿入、係止され、底板片が折線に沿って底部連結片と平面を形成するように外方に折り曲がっていることを特徴とする包装箱体用中仕切り。
（２）縦列仕切片の上端部には、縦列差込みスリットに対応する箇所、縦列差込スリット間の中央付近、および縦列仕切り片の側端部と縦列差込スリット間の中央付近には切欠き部が設けられている上記（１）に記載の包装箱体用中仕切り。
（３）縦列差込スリットに対応するＶ字形状のような切欠き部が鋭い傾斜より形成されている上記（２）に記載の包装箱体用中仕切り。
（４）縦列差込スリット間の中央付近、および縦列仕切り片の側端部と縦列差込スリット間の中央付近の切欠き部がＵ字形状のようななだらかな傾斜より形成されている上記（２）または（３）に記載の包装箱体用中仕切り。
（５）横列仕切板の上端部には、横列差込みスリットに対応する箇所、横列差込みスリット間の中央付近、および横列仕切り板の側端部と横列差込みスリットの間の中央付近に切欠き部が設けられている上記（１）から（４）のいずれかに記載の包装箱体用中仕切り。
（６）横列差込みスリットに対応する箇所の切欠き部がＶ字形状のような鋭い傾斜より形成されている上記（５）に記載の包装箱体用中仕切り。
（７）横列差込みスリット間の中央付近、および横列仕切り板の側端部と横列差込みスリット間の中央付近の切欠き部がＵ字形状のようななだらかな傾斜より形成されている上記（５）または（６）に記載の包装箱体用中仕切り。
（８）横列仕切り板の下端部に脚部突起が設けられている上記（１）から（７）に記載の包装箱体用中仕切り。
（９）横列差込みスリット間の中央付近、および横列仕切り板の側端部と横列差込みスリット間の中央付近の切欠き部の凹部と脚部突起の凸部は、同一の形状であり、かつ、横列仕切板の上端部と下端部で対応する位置に形成されている上記（８）に記載の包装箱体用中仕切り。
（１０）底板片の幅および長さは、底板片切込みの位置またはその幅によって調製されている上記（１）から（９）のいずれかに記載の包装箱体用中仕切り。
（１１）上記（１）から（１０）のいずれかに記載の中仕切りを装備したことを特徴とする包装箱体。  
【発明の効果】
【０００９】
本発明により以下の効果が奏される。
１．中仕切りの構造を変更することにより、仕切サイズの縮小化および底部のフラップ間の段差をなくするために使用している底板を廃止することができる。
２．底部のフラップ間の段差を補完する部位が縦列仕切り板から切り出されるため材料の無駄が減少する。
３．横仕切り板のサイズを縮小化して材料の無駄が減少した。
４．中仕切の組み立ておよび箱体内への収納が簡便となり、自動化にも便利である。
５．底部のフラップ間の段差に基づく箱体の強度の低下を抑えることができる。
【図面の簡単な説明】
【００１０】
【図１】中仕切りを備えた包装用箱体の一例を示す。
【図２】箱体の底部平面に形成される凹部（１）と、底部平面を平坦にするための底板（２）を示す。
【図３】箱体の展開図を示す。
【図４】本発明の中仕切りの部材である縦列仕切り板の平面図を示す。
【図５】本発明の横列仕切り板の平面図を示す。
【図６】図４および図５に示した部材により組み立てた中仕切りを底部から見た斜視図である。
【図７】本発明の他の例の中仕切りを構成する部材である縦列仕切り板の平面を示す。
【図８】図７に示す縦列仕切り板に組み合わせて中仕切りを形成する横列仕切り板の平面図を示す。
【図９】図７および図８に示した部材により組み立てた中仕切りを底部から見た斜視図である。
【図１０】従来の中仕切りの一例を底部から見た斜視図である。
【図１１】本発明の横列仕切り板の作製に際し、脚部突起４２を設けない場合（従来品）と脚部突起４２を設けた場合（本発明品）に必要なシートの大きさを示す平面図である。
【発明を実施するための形態】
【００１１】
本発明は、物品を保管または搬送するための箱体内に複数の物品を収納する区画を形成すべく配設される中仕切りであって、
（１）一枚の縦列仕切り板と複数枚の横列仕切り板からなり、縦列仕切り板はシート中央に間隔を置いて設けた平行な２本の折線により、折り線間の底部連結片およびその両側の縦列仕切り片に区分され、
（２）底部連結片にはその長手方向と直交する方向に底部差込みスリットが複数形成されるとともに、そのスリットの両端に連続して縦列仕切り片には縦列差込みスリットが延設され、連続した両スリットには横列差込み板を差込むことができ、
（３）中央に位置する縦列差込みスリットの両側には、折線を起点として所定の間隔をあけて二本の切込みと、それらの切込み先端部から縦列差込みスリットを横断する切込みからなる底部片切込みが形成され、縦列差込みスリット、底部片切込み、折線に囲まれた底板片が複数形成され、
（４）横列仕切り板には底部連結片の幅に対応する間隔で横列差込みスリットが設けられ、
（５）縦列仕切り片が折線を介して同じ方向に折曲げられ、底部差込みスリットから横列仕切り板を挿入して、横列差込みスリットと縦列差込みスリットを介して横列仕切り板を縦列仕切り片に交差させて挿入し、次いで、底板片を折線に沿って底部連結片と平面を形成するように外方に折り曲げたことにより組み立てることにより形成された包装箱体用中仕切り、および個の中仕切りを収納した包装箱体に関するものである。
【００１２】
本発明の中仕切りを使用した箱体の外観は、例えば、図１に記載のごとき形状である。箱体１０内に中仕切り２０が収納されて、縦列仕切り板２１と横列仕切板４０により区切られた１２個の区画よりなり、各区画にはビンなどの物品が収納される。区画の数およびその配置は箱体の大きさ、収納する物品の大きさや重さなどを考慮して決定される。
直方体の形状をした箱体の展開図を図３に示す。箱体は段ボールなどから切り出されて組み立てられる。箱体の底部は底用外フラップ１５と底用内フラップ１４かなり、展開図からなるシートを筒状に成型した後、底用内フラップを折り畳み次いで底用外フラップを折り畳んで底面が形成される。外フラップ１５および内フラップ１４の幅ａは共通するのが通常である。外フラップの幅２ａは箱体の短辺ｂと一致しているが、左右の内フラップの幅２ａでは箱体の長辺ｃを覆うことができない。この展開図を組み立てることにより図２に示すごとき内部底面に凹部Ｘが形成されている箱体が組み立てられる。
【００１３】
本発明の中仕切りの一例について図４，５，６により説明する。この中仕切りは縦列仕切り板２１および３枚の横列仕切り板４０からなり、図４には縦列仕切り板２１、図５には横列仕切り板４０の平面図を示す。これは縦列に４区画、横列に３区画、計１２個の区画を備えた本発明の中仕切りを作成するための部品である。２辺の縦列仕切り片２３が折線２６を介して同じ方向に折り曲げられた後、底部差込みスリット２５と縦列差込スリット２７から、図５に記載の横列仕切り板４０の横列差込みスリット４１が挿し込まれて縦列仕切り板２１と横列仕切り板４０が固定されて本発明の中敷きが作成される。
【００１４】
［縦列仕切り板］
縦列仕切り板２１の中央部分には所定の間隔をあけて設けられた平行な２本の折線２６により、折り線間にあたる底部連結片２４およびその両側部の縦列仕切り片２３に区分されていて、折線２６を介して縦列仕切り片２３が底部連結片２４とほぼ直角になるように折り曲げられる。
底部連結片２４にはその長手方向（折線２６）と直交する方向に底部差込スリット２５が縦列仕切り板２１の端部２２から等間隔で３本設けられるとともに、底部差込スリット２５の両端延長線上での縦列仕切り片２３には縦列差込スリット２７がそれぞれ連続して延設されて３本のスリットが形成されている。底部差込スリット２５および縦列差込スリット２７からなる連続した一本のスリットには横列仕切り４０の横列差込みスリット４１が挿し込まれる。
【００１５】
底部差込スリット２５および縦列差込スリット２７からなる３本のスリットのなかで中央となる縦列差込スリット２７の両側には、折線２６を始点として底板片切込み２８１，２８２が形成され、それらの先端部は中央の縦列片切込み２７を横断して連結されている。こうして、底板片切込み２８１，２８２、２８３と縦列差込スリット２７および折線２６により囲まれた２枚の底板片２９１，２９２が形成される。縦列仕切り片２３が折り線２６に沿って底部連結片２４と直角となるように曲げられた後、底板片２９１，２９２は底部連結片２４と同一平面を形成するように折り曲げられ、底板片２９１、底部連結片２４、底板片２９２が同一平面を形成する。
底板片２９１，２９２は、中仕切りが箱体内に収納された際に、内フラップが届かないために形成されている箱体底部の凹部Ｘ（図２中の斜線部）に挿入されて段差をなくすると同時に、凹部に基づく箱体の強度低下を防止する。
【００１６】
［横仕切板］
横列仕切り板４０は図５に示すごとく底部連結片の幅（２本の折線２４間の距離）に対応する間隔で横列差込スリット４１が二本設けられている。３枚の横列仕切り板は３本の底部差込みスリット２５から縦列差込スリット２７へと挿入される。
【００１７】
［中仕切りの組み立て］
本発明の中仕切りを組み立てるには、左右の縦列仕切り片２３が折線２６を介して直角に折曲げられることにより底部連結片２４の両側に縦列仕切り板２３、２３を立ち上げる。次いで、底部差込スリット２５に横列差込みスリット４１を当接して横列差込スリット４１と縦列差込スリット２７とが嵌合するように両者を交差させて挿入する。さらに、底板片２９１，２９２を折線２６に沿って外方に折り曲げて底部連結片２４と平面を形成させる。底部連結片２４とその両側にある２枚の底板片２９１が平面を形成する。３枚の横列仕切板を４０を縦列仕切り板２３に組み込むとことにより箱体用の中仕切りが完成する。
その後、この中仕切り２０を箱体内に挿入することにより中仕切りが挿入された箱体１０が完成する。
【００１８】
完成した中仕切り２０は図１に示されると同様の外観となる。中仕切りを底部から見た外観を図６に示す。３枚の横仕切り片４０は縦仕切り片２３の縦列差込スリット２７にそれぞれ挿入されて組み立てられて図６に示すような外観を呈する。底部連結片２４一部と底板片２９１，２９２からなる破線で囲まれた範囲Ａが箱体底凹部に挿入される部分である。
【００１９】
［箱体と本発明の中仕切り］
箱体１０の底部において図２で網掛けにより示される部分は、底用外フラップ１５のみからなる一重であり、他の底部は底用内フラップ１４と底用外フラップ１５の二重となっている。そうすると箱体の底部において一重部分と二重部分間には底用内フラップ１５の厚みだけの段差が生じる。このようにして形成された凹部は一重の壁になり強度的には弱くなり、また、上部に収納されるビンなどの重い物品により箱体あるいは中仕切りの変形が生じやすい。すなわち、収納した物品が傾斜するために中仕切りや箱体に予期せぬ力がかかる恐れがあった。従来は、箱体の底部全体に底板１３を設置したが、本発明においては、中仕切りの構成部品である縦列仕切り片２３の一部を利用して底板片２９１，２９２を形成させる。底板片２９１，２９２は左右４片が形成されて中仕切りを箱体内に収納する際に、底部連結片２４とこれに連続している底板片２９１，２９２により形成された平面部分Ａが箱体底の凹部に配置される。箱体底部に配置される平面部分については図６のＡとして破線で囲んで示してある。
Ａの部分では、底部連結片２４の一部（破線を外れた部分）が底用内フラップ１４の上に、その他の部分は箱体底部の外フラップ１５上に設置されるための設置後の中仕切りの底面は完全に水平になるわけではないが、４片の底板片２９１，２９２は、物品による上部からの重量により撓んで箱体底凹部に収納されて該部分を補完して凹部に基づく問題点はほぼ解決される。
【００２０】
箱体の底部に形成される凹部（図２参照）の大きさと、２枚の底板片の幅２ｚ、長さ２ｙ＋（折線間の幅）（図４参照）が正確に一致することが好ましいが、箱体の製造上の誤差、あるいは箱体ごとの設計値の相違により常に一致していることは望めないため、例えば、２枚の底板片２９１，２９２の幅ｚや長さｙを調整する必要が生じることがある。そのために、底板片切込み２８１，２８２，２８３を形成する際に切込みの幅を広くまたは狭くすることによりまた長さを調整することが好ましい。
【００２１】
［中仕切りの他の例］
従来、中仕切りを自動機により箱体内に組込挿入するとき、あるいは中仕切りを組み込んだ箱体内に物品を自動箱詰め機により上方から収納する際に、縦列仕切り板と横列仕切片が横ずれして位置関係に狂いが生じたり、縦横の仕切りにより構成された収納空間が崩れるなりして中仕切りの組込みあるいは物品の収納を簡便になしえないことがあった。また、箱詰めにおいてビンなどの重量物品の底部が包装用仕切りの上縁に当たって収納がスムースにできない場合や、ビンのラベルや仕切り自体を破損させることがあった。
本例では、中仕切りの高さをビンのラベルが隠れる必要最低限の高さとし、縦列仕切り片２３と横列仕切り板４０の上端に切欠き複数設け、サイズの縮小化、組込の簡易化、ビン収納性の向上、および、ビン挿入時のラベルの破損防止を目的とする。
本例の縦列仕切り板２０を図７に、横列仕切り片４０を図８に示し、組立が終了した中仕切りを図９に示す。
縦列仕切り片２１の各上端には傾斜辺を備える谷形の切欠部３３，３４が設けられ、横列仕切り片４０の上縁にも斜辺備える谷形の切欠部４３，４４が設けられている。縦列仕切り片２１と横列仕切り片４０のスリットを差し込むことにより形成された両者の交差した上縁央には傾斜辺を備える谷形の上縁が十字形に形成されて物品の底部がこれに接触したときにはその底部を区画の中央空間にガイドすることができる。傾斜辺は物品の底部をガイドしつつ縦横の仕切り空間内部に物品を収納するようなガイド機能を有する。また、切欠部３３，４３により中仕切り板の上縁には窪みが形成されるため、ラベルと上縁の接触によるラベルの破損を防止することができる。
【００２２】
本例の中仕切りを作成、組立をするには前述の例が参照される。本例によれば、縦列仕切り片２１と横列仕切板４０の組込みを簡便に行うことができる。底部連結片２４に設けた底部挿し込みスリット２５の幅を広げ、また対応する縦列差込みスリット２７の下端部の幅を同調して広げることにより、縦列仕切り片２１の挿し込みスリット２７内に横列仕切片４０を簡便に挿入開始がきるようになすことができる。さらに、横列挿し込み板４０の横列差込スリット４１の延長上の上縁部には切欠き４４が形成され、縦列仕切り板２１の挿し込みスリット２７の延長上の上縁部には切欠き部３４が形成され、切欠き部４４と３４が一致するように横列仕切片４０を縦列仕切り板２１を挿し込むことにより両者の位置ずれが容易に識別できるようになっている（図７参照）。縦列仕切り片２１の切欠き３３よび横列仕切板の切欠き４３は、Ｕ字形状のようななだらかな傾斜となし、縦列仕切り片２１の切欠き３４および横列仕切板の切欠き４４は、Ｖ字形状のような急な傾斜となすことが望ましい。組み立てた中仕切りを底部から見た外観を図９に示す、破線で囲まれた部分が箱体凹部に挿入される。
【００２３】
横列仕切り板４０の下端に設けられる脚部突起４２は、横列仕切り板４０の切欠き部４３の凹部を形成する際にできる突起である。
図１１に、横列仕切り板４０を作製に際し、脚部突起４２を設けない場合（従来品）と脚部突起４２を設けた場合（本例）に必要なシートの大きさを示す。
本例は、横列仕切り板４０の高さはンのラベルが隠れる必要最低限の高さとしているため、従来品に比べて高さ方向が小さくなっている。加えて、本例では、横列仕切り板４０の切欠き部４３の凹部と脚部突起４２の凸部を同一の形状とし、上端下端で対応する位置に形成しているため、従来品の場合廃棄されていた余白部（図中のハッチング部）をなくし、シート内に効率よく横列仕切り板４０を配置できるため、必要なシートの大きさを節約することができる。
【００２４】
従来使用されている中仕切りの一例を図１０に挙げる。箱体内の凹部に接するのは破線で囲まれた部分である。この中仕切りは縦列に沿ってほぼ平坦部分が連続しているため、箱体の内面凹部を補完する部材はないため、箱体の底面の凹部により生じる問題点は解消できない。
【産業上の利用可能性】
【００２５】
本発明は、各種の物品を物流に供するための包装箱用の中仕切りとしてまた中仕切りを用いた包装箱として広く利用可能である。物品の収納時あるいは収納後の中仕切りや箱体の強度が充分であり破損などの心配が少ないため重量のある物品である液体収納ビン、缶類を収納する箱体の中仕切りとして有用である。また、本中仕切りの作成にあたり材料が節約できるため経済的でもある。
【符号の説明】
【００２６】
１０：箱体：
１１：蓋内フラップ 
１２：蓋外フラップ 
１３：底板 
１４：底内フラップ 
１５：底外フラップ 
ａ：フラップ幅
ｂ：箱体横幅
ｃ：箱体縦幅
２０:中仕切り
２１：縦列仕切り板
２２：縦列仕切り板端部
２３：縦列仕切り片
２４：底部連結片
２５：底部差込みスリット
２６：折線
２７：縦列差込みスリット
２８１，２８２，２８３：底板片切込み
２９１，２９２：底板片
３３：Ｕ字型切欠き
９４：Ｖ字型切欠き
４０：横列仕切り板
４１：横列差込みスリット
４２：脚部突起
４３：Ｕ字切欠き
４４：Ｖ字切欠き
ｘ：箱体底凹部に挿入される部分
ｙ：底板片の長さ
ｚ：底板片の幅
【図１】
0006014111.tif 000002
【図２】
0006014111.tif 000003
【図３】
0006014111.tif 000004
【図４】
0006014111.tif 000005
【図５】
0006014111.tif 000006
【図６】
0006014111.tif 000007
【図７】
0006014111.tif 000008
【図８】
0006014111.tif 000009
【図９】
0006014111.tif 000010
【図１０】
0006014111.tif 000011
【図１１】
0006014111.tif 000012